(57)【要約】【課題】大がかりな装置を表示装置に取り付けることなしで外部から容易に書き換えが可能な表示装置と、その表示装置を用いた文書ファイル管理装置および携帯情報端末を提供する。【解決手段】書き込み指令と表示内容を含む受信信号あるいは読み出し指令を含む受信信号を受信すると共に、読み出し指令にしたがって表示内容を含む送信信号を送信する信号送受信手段２２と、受信信号を伝送する電磁波から電力を生成する電力生成手段２１と、受信信号に基づいて表示内容を表示する表示手段１２とを備え、電力生成手段２１は、信号送受信手段２２と表示手段１２に電力を供給し、電力によって表示手段１２は表示内容を表示する。【選択図】図１
2007199296.tif 000002
【特許請求の範囲】
【請求項１】
書き込み指令と表示内容を含む受信信号あるいは読み出し指令を含む受信信号を受信すると共に、前記読み出し指令にしたがって表示内容を含む送信信号を送信する信号送受信手段と、
前記受信信号を伝送する電磁波から電力を生成する電力生成手段と、
前記受信信号に基づいて前記表示内容を表示する表示手段とを備え、
前記電力生成手段は、前記信号送受信手段と前記表示手段に電力を供給し、前記電力によって前記表示手段は前記表示内容を表示する、
ことを特徴とする表示装置。
【請求項２】
前記電力生成手段は、前記表示手段の表示内容が書き換えられる時に電力を供給し、前記表示手段は、前記電力生成手段からの電力が断たれた後も表示内容を保持する特性を有することを特徴とする請求項１記載の表示装置。
【請求項３】
前記表示手段は、電子ペーパーからなることを特徴とする請求項２記載の表示装置。
【請求項４】
棚に入れた文書ファイルを管理する文書ファイル管理装置において、
前記棚の表示と前記文書ファイルの背表紙と前記文書ファイルの目次の少なくとも１つは、請求項１〜３のいずれか１項に記載の表示装置を用いたものであり、
入力端末と制御サーバとリーダ・ライタとアンテナマルチプレクサを備え、
前記入力端末の操作により、前記棚の表示と前記文書ファイルの背表紙と前記文書ファイルの目次の少なくとも１つを書き換えることを特徴とする文書ファイル管理装置。
【請求項５】
カード状の基板に請求項１〜３のいずれか１項に記載の表示装置を取り付けたことを特徴とする携帯情報端末。
【発明の詳細な説明】
【技術分野】
【０００１】
本発明は、表示装置、文書ファイル管理装置および携帯情報端末に関し、特に、外部から電磁波を介して表示内容を書き込むようにした表示装置、文書ファイル管理装置および携帯情報端末に関する。
【背景技術】
【０００２】
近年、電子ペーパーが開発され、その電子ペーパーを用いた表示装置が考えられている（例えば、特許文献１参照）。一方、ＲＦタグを用いた物品の管理や、ＲＦタグを用いた誘導案内の手法が多数開発されている。今後は、社会や事業所等でのＲＦタグの利用環境が発達し、ＲＦタグ用のアンテナやリーダ・ライタがそのような環境内に偏在することが想定される。
【０００３】
そのようなＲＦタグを応用した例として、文書ファイル管理システムがある。この文書ファイル管理システムでは、棚に入れる各文書にＲＦタグを付け、棚近辺に設けられたアンテナとリーダ・ライタを設置してコンピュータによりＲＦタグのＩＤを読み込みあるいは書き込むことによって分類し、管理することができる。
【０００４】
この文書ファイル管理システムでは、ＲＦタグにより非常に管理が容易となったが、文書ファイルを棚に置くとき、その文書ファイルの背表紙にペンなどにより表題や作成日などを書き込んで管理していた。
【０００５】
文書ファイルは、文書の内容を更新したりするため、その日付などを更新する必要があるため、その都度、背表紙にペンで書き込む必要があった。
【０００６】
また、ＲＦ技術は、ＩＣカードにも応用され、現在、広く利用されている。そのＩＣカードでは、ＩＣのメモリ内の内容を書き換えることができるようになっている。しかしながら、ＩＣカードの表面の表示を書き換えることはできなかった。
【特許文献１】特開２００３−２２２５７号公報
【発明の開示】
【発明が解決しようとする課題】
【０００７】
文書ファイルの背表紙等に電子ペーパーを用いたり、ＩＣカードの表面に電子ペーパーを用いて表示する方法が考えられる。しかしながら、従来、電子ペーパーの表示を簡単に書き換えることはできなかった。例えば、特許文献１では、電子ペーパーの文書を書き換える場合、電子ペーパーを装着する大がかりな装置が必要であり、その装置での外部との通信により文書データを得て、電子ペーパーを書き換えるものであった。それゆえ、電子ペーパー以外にも大がかりな装置が必要不可欠の構成要素であり、大がかりな装置なしでは、文書の書き換えを外部から行うことはできなかった。
【０００８】
本発明の目的は、上記の課題に鑑み、大がかりな装置を表示装置に取り付けることなしで外部から容易に書き換えが可能な表示装置と、その表示装置を用いた文書ファイル管理装置および携帯情報端末を提供することにある。
【課題を解決するための手段】
【０００９】
本発明に係る表示装置、文書ファイル管理装置および携帯情報端末は、上記の目的を達成するため、次のように構成される。
【００１０】
第１の表示装置（請求項１に対応）は、書き込み指令と表示内容を含む受信信号あるいは読み出し指令を含む受信信号を受信すると共に、読み出し指令にしたがって表示内容を含む送信信号を送信する信号送受信手段と、受信信号を伝送する電磁波から電力を生成する電力生成手段と、受信信号に基づいて表示内容を表示する表示手段とを備え、電力生成手段は、信号送受信手段と表示手段に電力を供給し、電力によって表示手段は表示内容を表示する、ことで特徴づけられる。
【００１１】
第１の表示装置によれば、書き込み指令と表示内容を含む受信信号あるいは読み出し指令を含む受信信号を受信すると共に、読み出し指令にしたがって表示内容を含む送信信号を送信する信号送受信手段と、受信信号を伝送する電磁波から電力を生成する電力生成手段と、受信信号に基づいて表示内容を表示する表示手段とを備え、電力生成手段は、信号送受信手段と表示手段に電力を供給し、電力によって表示手段は表示内容を表示するため、大がかりな装置を表示装置に取り付けることなしで外部からのリーダ・ライタにより表示内容を容易に書き換えることができる。
【００１２】
第２の表示装置（請求項２に対応）は、上記の構成において、好ましくは、電力生成手段は、表示手段の表示内容が書き換えられる時に電力を供給し、表示手段は、電力生成手段からの電力が断たれた後も表示内容を保持する特性を有することで特徴づけられる。
【００１３】
第３の表示装置（請求項３に対応）は、上記の構成において、好ましくは、表示手段は、電子ペーパーからなることで特徴づけられる。
【００１４】
第１の文書ファイル管理装置（請求項４に対応）は、棚に入れた文書ファイルを管理する文書ファイル管理装置において、棚の表示と文書ファイルの背表紙と文書ファイルの目次の少なくとも１つは、上記の構成の表示装置を用いたものであり、入力端末と表示装置制御サーバとリーダ・ライタとアンテナマルチプレクサを備え、入力端末の操作により、棚の表示と文書ファイルの背表紙と文書ファイルの目次の少なくとも１つを書き換えることで特徴づけられる。
【００１５】
第１の携帯情報端末（請求項５に対応）は、カード状の基板に上記の構成の表示装置を取り付けたことで特徴づけられる。
【発明の効果】
【００１６】
本発明によれば、書き込み指令と表示内容を含む受信信号あるいは読み出し指令を含む受信信号を受信すると共に、読み出し指令にしたがって表示内容を含む送信信号を送信する信号送受信手段と、受信信号を伝送する電磁波から電力を生成する電力生成手段と、受信信号に基づいて表示内容を表示する表示手段とを備え、電力生成手段は、信号送受信手段と表示手段に電力を供給し、電力によって表示手段は表示内容を表示するため、大がかりな装置を表示装置に取り付けることなしで外部からのリーダ・ライタにより表示内容を容易に書き換えることができる。
また、本発明によれば、棚に入れた文書ファイルを管理する文書ファイル管理装置において、棚の表示と文書ファイルの背表紙と文書ファイルの目次の少なくとも１つは、上記の構成の表示装置を用いたものであり、入力端末と制御サーバとリーダ・ライタとアンテナマルチプレクサを備え、入力端末の操作により、棚の表示と文書ファイルの背表紙と文書ファイルの目次の少なくとも１つを書き換えるため、外部から容易に棚の表示と文書ファイルの背表紙と文書ファイルの目次の少なくとも１つを書き換えることができる。
さらに、本発明によれば、カード状の基板に上記の構成の表示装置を取り付けたため、手軽に、外部から情報を得ることができる。
【発明を実施するための最良の形態】
【００１７】
以下に、本発明の好適な実施形態（実施例）を添付図面に基づいて説明する。
【００１８】
図１〜図５は本発明に係る表示装置の第１の実施形態を示す。表示装置１０は、例えば電子ペーパーであり、基体１１に表示部１２と制御部１３を備えたものである。制御部１３からは表示部１２への電力供給線１４と信号線１５で接続されている。
【００１９】
基体１１はシート状の柔軟性のあるプラスチックなどからできているものである。表示部１２は、電子ペーパー等から形成されている。制御部１３は、制御ＩＣ１６とアンテナ１７から形成されている。
【００２０】
この表示装置１０は、外部の図示しないリーダ・ライタから書き込み指令と表示内容を含む信号が電磁波によって制御部１３に送られると、制御部１３のアンテナ１７によりその書き込み指令と表示内容を含む信号を受信する。また、リーダ・ライタから送られた電磁波から電力を得て、電力供給線１４により表示部１２に電力を供給し、その間に、表示部１２に送られてきた表示内容を表示する。表示部１２は、自己保持性のあるものであり、表示内容を表示後、電力が断たれても表示をそのまま保持する。また、この表示装置１０は、外部から読み出し指令がリーダ・ライタによって送られると、制御部１３は、表示内容をリーダ・ライタに送り、図示しないコンピュータに記憶・表示する。
【００２１】
図２は、制御部１３のブロック図を示す。制御部１３は、アンテナ１７と、電力生成部２１、送受信部２２、ＣＰＵ２３、メモリ２４、表示制御部２５からなる制御ＩＣ１６を備えている。これらの回路要素は次のような機能を有している。
【００２２】
電力生成部２１は、外部から到来する高周波の電磁波から電力を生成する機能を有する。アンテナ１７を介して導入される電磁波は、電力生成部２１により、内部の送受信部２２やＣＰＵ２３、メモリ２４、表示制御部２５と、表示部１２を動作させるための電力を生成する。送受信部２２は、リーダ・ライタ３４（図３参照）からの書き込み指令と表示内容を含んだ信号を受信し、また、読み出し指令を受信し、表示内容に係る信号を送信する。ＣＰＵ２３は送受信部２２と表示制御部２５とメモリ２４を制御する。またメモリ２４は受信した表示内容や表示中の内容を格納する。表示制御部２５は、ＣＰＵ２３からの制御でメモリ２４に記憶された表示内容を表示部１２に送り、表示させる。また、表示部１２に表示された表示内容を読み出しメモリ２４に記憶する。
【００２３】
この制御部１３では、アンテナ１７が外部のリーダ・ライタから書き込み指令を含んだ信号を有する電磁波を受信すると、その電磁波は、電力生成部２１により、内部の送受信部２２やＣＰＵ２３、メモリ２４、表示制御部２５と表示部１２を動作させるための電力を生成し、各部に供給する。また、アンテナ１７が受信した電磁波から書き込み指令を送受信部２２は、受信し、ＣＰＵ２３に送る。ＣＰＵ２３は、書き込み準備の処理をし、送受信部２２から書き込み準備完了の信号をリーダ・ライタに送る。リーダ・ライタからは、表示内容を送信する。その信号をアンテナ１７を介して送受信部２２は受信し、ＣＰＵ２３の動作によりメモリ２４に記憶される。また、ＣＰＵ２３は、表示制御部２５を動作し、メモリ２４に記憶された表示内容を表示部１２に信号線１５を介して送る。そのとき電力生成部２１からの電力が電力線１４を介して表示部１２に供給されている。それにより、表示内容が表示部１２に表示される。その後、電力生成部２１からの電力の供給は断たれるが、表示部１２の自己保存性により、表示内容はそのまま表示され続ける。
【００２４】
また、リーダ・ライタから読み出し指令を含む信号を有する電磁波をアンテナ１７が受信すると、電磁波から電力生成部２１は電力を生成し、送受信部２２、ＣＰＵ２３、メモリ２４、表示制御部２５、表示部１２に電力を供給する。また、電磁波から読み出し指令を送受信部２２は受信すると、ＣＰＵ２３により、表示部制御部２５を動作し、表示部１２から表示内容を読み出す。その読み出した内容を送受信部２２から信号に載せてリーダ・ライタに送る。
【００２５】
次に、図３〜図５を参照して、本実施形態に係る表示装置１０の実際の使用例を説明する。
【００２６】
実際に表示装置１０に表示内容を書き込むときには、図３で示すように、ディスプレイ３０と本体３１とキーボード３２を備えたコンピュータ３３から表示内容を、コンピュータ３３からの書き込み指令とともに、コンピュータ３３に接続されたリーダ・ライタ３４によって表示装置１０の制御部１３に送る。また、表示装置１０の表示内容を読み出すときには、コンピュータ３３からの読み出し指令により、制御部１３からリーダ・ライタ３４は表示内容を受信し、コンピュータ３３のディスプレイ３０に表示し、図示しない記憶装置に記憶する。
【００２７】
まず、表示内容を表示装置１０に書き込むときの各装置での処理を図４で示すフローチャートを用いて説明する。図４は、コンピュータ３３での処理とリーダ・ライタ３４での処理と表示装置１０での処理をフローチャートで示している。まず、コンピュータ３３のキーボード３２等の入力装置から表示内容を入力する（ステップＳ１１）。次に、コンピュータ３３のキーボード３２から書き込み指令を入力する（ステップＳ１２）。コンピュータ３３は、表示内容と書き込み指令をリーダ・ライタ３４に送る（ステップＳ１３）。リーダ・ライタ３４は、書き込み指令を受けたか否かを判断する（ステップＳ２１）。もし、書き込み指令を受けないときはそのステップを繰り返す。もし、書き込み指令を受けたならば、書き込み指令に係る信号を載せた電磁波を表示装置１０に送る（ステップＳ２２）。表示装置１０の制御部１３は、書き込み指令に係る信号を載せた電磁波を受信したか否かを判断する（ステップＳ３１）。もし、書き込み指令に係る信号を載せた電磁波を受信しなければ、そのステップを繰り返す。もし、書き込み指令に係る信号を受信したならば、その電磁波は、図２で示す電力生成部２１により、内部の送受信部２２やＣＰＵ２３、メモリ２４、表示制御部２５と表示部１２を動作させるための電力を生成し、各部に供給する。また、アンテナ１７が受信した電磁波から書き込み指令を送受信部２２は、受信し、ＣＰＵ２３に送る。ＣＰＵ２３は、書き込み準備の処理をする（ステップＳ３２）。表示装置１０の制御部１３は書き込み準備完了をしたか否かを判断する（ステップＳ３３）。もし、書き込み準備完了していなければ、ステップＳ３２を実行する。もし、書き込み準備完了したならば、送受信部２２から書き込み準備完了の信号をリーダ・ライタ３４に送る（ステップＳ３４）。リーダ・ライタ３４は、書き込み準備完了信号を表示装置１０から受信したか否かを判断する（ステップＳ２３）。もし、書き込み準備完了信号を受けていなければ、そのステップを繰り返す。もし、書き込み準備完了信号を受信したならば、リーダ・ライタ３４からは、表示内容を送信する（ステップＳ２４）。表示装置１０では、その信号をアンテナ１７を介して送受信部２２は受信し、ＣＰＵ２３の動作によりメモリ２４に記憶される。また、ＣＰＵ２３は、表示制御部２５を動作し、メモリ２４に記憶された表示内容を表示部１２に信号線１５を介して送る。そのとき電力生成部２１からの電力が電力線１４を介して表示部１２に供給されている。それにより、表示内容が表示部１２に表示される（ステップＳ３５）。その後、電力生成部２１からの電力の供給は絶たれるが、表示部１２の自己保存性により、表示内容はそのまま表示され続ける。
【００２８】
次に、表示装置１０に表示されている表示内容をコンピュータ３３に取り込む読み出し処理を図５で示すフローチャートを用いて説明する。図５は、コンピュータ３３での処理とリーダ・ライタ３４での処理と表示装置１０での処理をフローチャートで示している。まず、コンピュータ３３のキーボード３２から読み出し指令を入力する（ステップＳ４１）。次に、コンピュータ３３は読み出し指令をリーダ・ライタ３４に送る（ステップＳ４２）。リーダ・ライタ３４は、読み出し指令を受けたか否かを判断する（ステップＳ５１）。もし、読み出し指令を受けていなければ、そのステップを繰り返す。もし、読み出し指令を受けたならば、読み出し指令に係る信号を載せた電磁波を表示装置１０に送信する（ステップＳ５２）。表示装置１０の制御部１３は、読み出し指令に係る信号を載せた電磁波を受信したか否かを判断する（ステップＳ６１）。もし、読み出し指令に係る信号を載せた電磁波を受信していなければ、そのステップを繰り返す。もし、読み出し指令に係る信号を載せた電磁波を受信したならば、電磁波から電力生成部２１は電力を生成し、送受信部２２、ＣＰＵ２３、メモリ２４、表示制御部２５、表示部１２に電力を供給する。また、電磁波から読み出し指令を送受信部２２は受信すると、ＣＰＵ２３により、表示制御部２５を動作し、表示部１２から表示内容を読み出す。その読み出した内容を送受信部２２から信号に載せてリーダ・ライタ３４に送る（ステップＳ６２）。リーダ・ライタ３４は、表示内容に係る信号を載せた電磁波を受信したか否かを判断する（ステップＳ５３）。もし、表示内容に係る信号を受信していなければ、そのステップを繰り返す。もし、表示内容に係る信号を受信したならば、表示内容をコンピュータ３３に送る（ステップＳ５４）。コンピュータ３３は、表示内容をディスプレイ３０に表示し、また、図示しない記憶装置に記憶する（ステップＳ４３）。
【００２９】
このようにして、表示装置１０では、大がかりな装置を表示装置に取り付けることなしで外部からのリーダ・ライタにより表示内容を容易に書き換えることができる。また、容易に表示内容をコンピュータで読み出すことができる。
【００３０】
次に、この表示装置の利用例として文書ファイル管理装置について説明する。
【００３１】
図６は、本発明の実施形態に係る文書ファイル管理装置の構成を説明するための図である。図６に示すように、文書ファイル管理装置４０は、棚４１を備え、棚４１にはアンテナ４２，４３，４４，４５を設置してあり、アンテナマルチプレクサ４６に接続されている。棚４１の中には、複数の文書ファイル４７が入れられている。各文書ファイル４７には、図示しないＲＦタグが付けられている。また、各文書ファイル４７の背表紙には、それぞれ表示装置４７−１，４７−２，・・・４７−４５が設けられている。さらに、各文書ファイル４７の内部には図示しない表示装置からなる目次を入れてある。また、棚４１には表示装置４１−１，４１−２，４１−３，４１−４が設けられている。表示装置４７−１，４７−２，・・・４７−４５と図示しない目次に用いられる表示装置と表示装置４１−１，４１−２，４１−３，４１−４は、図１で示した表示装置１０と基体１１と表示部１２の大きさが異なること以外は、同じ構造を有している。
【００３２】
また、文書ファイル管理装置４０は文書管理・表示器制御サーバ４８（以後、サーバ４８という）とリーダ・ライタ４９が接続され、リーダ・ライタ４９はアンテナマルチプレクサ４６と接続されている。またサーバ４８は、表示装置ＩＤデータベース５１と接続されており、また、ＬＡＮ５２により入力端末５３と接続された構成をとる。
【００３３】
棚４１に入れられた文書ファイル４７は、図７で示されるように、背表紙に設けられた表示装置４７−１，４７−２，４７−３には、後述するように入力端末５３から入力された文書が表示されている。また、棚４１に設けられた棚表示用の表示装置４１−１−１，４１−１−２にも入力端末５３から入力された文書が表示されている。さらに、文書ファイル４７内の目次も表示装置４７−１−１から形成されており、入力端末５３から入力された文書が表示されている。これらの表示装置の表示内容は、後述するように入力端末５３から文書を入力することにより、書き換えることができる。
【００３４】
また、図７には、表示装置４７−１，４７−２，４７−３それぞれの制御部４７−１ａ４７−２ａ，４７−３ａが示されており、また表示装置４１−１−１，４１−１−２それぞれの制御部４１−１−１ａ，４１−１−２ａが示されており、さらに表示装置４７−１−１の制御部４７−１−１ａが示されている。これらの制御部の図示しないメモリには、各表示装置を特定するＩＤが記憶されている。
【００３５】
これらの表示装置は、入力端末５３から入力されたＩＤと書き込み指令と表示内容に従って、図６で示される棚４１に設けられたアンテナ４２，４３，４４，４５のいずれかから表示装置を特定するＩＤと書き込み指令と表示内容を含む信号が電磁波によって制御部に送られると、制御部のメモリによって送られてきた信号内のＩＤと表示装置自身のＩＤを照合する。そして、ＩＤが一致した場合に、そのＩＤを持つ表示装置は表示内容を書き換える。
【００３６】
図６の他の各部を説明する。アンテナマルチプレクサ４６は、アンテナ４２，４３，４４，４５のいずれか１つを選択させて動作させる。リーダ・ライタ４９は、サーバ４８からの信号をアンテナマルチプレクサ４６を介して送り、また、アンテナマルチプレクサ４６からの信号を受信しサーバ４８に送る。サーバ４８は、入力端末５３から送信されたＩＤと書き込み指令と表示内容に係るデータを受信し、表示装置ＩＤデータベースを検索し、対応するＩＤを有する表示装置の位置を特定し、その位置情報とともに、表示内容と書き込み指令に係る信号をリーダ・ライタ４９に送る。アンテナマルチプレクサ４６は、その位置情報に基づいて、そのＩＤを有する表示装置のある段のアンテナを動作させる。また、表示装置ＩＤデータベース５１は表示装置のＩＤとその棚の中での位置を記憶する。入力端末５３は、表示装置のＩＤと書き込み指令と表示内容の入力をするための装置である。
【００３７】
次に、本実施形態における背表紙や目次や棚表示の表示装置の表示内容を書き換えるときの操作を図８のフローチャートを用いて詳細に説明する。
【００３８】
本実施形態では、まず、管理者が入力端末５３の入力装置５３ａより処理プログラム（表示内容変更プログラム）を起動する（ステップＳ７１）。
【００３９】
処理プログラムを起動した入力端末５３は、画面５３ｂ上に図９で示す入力画面６０を表示する（ステップＳ７２）。管理者は、画面５３ｂに表示された入力画面６０を見ながら、入力装置５３ａにより、変更したい表示装置のＩＤを入力するＩＤテキストボックス６１、表示内容テキストボックス６２にそれぞれＩＤと表示内容を入力する（ステップＳ７３）。
【００４０】
管理者は、それらの文章でよいか否かを確認する（ステップＳ７４）、それで決定するときは、出力画面６０上に表示された確認のＯＫボタン６３を図示しないマウスによりクリックして、決定の情報を送信する（ステップＳ７５）。キャンセルや修正するときは、出力画面６０上に表示されたキャンセルボタン６４を図示しないマウスによりクリックして送信する（ステップＳ７６）。そのとき、プログラムはステップＳ７１に戻る。
【００４１】
この文書ファイル管理装置４０では、図６で示すように上記のようにして入力端末５３から表示装置のＩＤと書き込み指令と表示内容を入力することにより、表示装置のＩＤと書き込み指令と表示内容に係るデータがＬＡＮ５２を介して、サーバ４８に送られる。サーバ４８は、送られてきたデータから表示装置のＩＤから表示装置の位置を検索する。そして、その表示装置の位置情報とＩＤと書き込み指令と表示内容に係るデータをリーダ・ライタ４９に送る。リーダ・ライタ４９は、表示装置の位置情報とＩＤと書き込み指令と表示内容に係るデータを載せた信号をアンテナマルチプレクサ４６に送る。アンテナマルチプレクサ４６は、その信号から表示装置の位置を特定し、その表示装置のある棚の段のアンテナを動作させる。その動作させたアンテナからＩＤと書き込み指令と表示内容に係るデータを載せた信号を含む電磁波が発信される。棚の中にある各表示装置の制御部は送られた電磁波を受信し、自身のメモリ内のＩＤと照合する。その結果、対応するＩＤを有する制御部は、動作を開始し、送られてきた電磁波を受信し、書き込み指令と表示内容とに基づいて、表示内容が変更され表示される。これにより、文書ファイルの背表紙の表示装置４７−１，４７−２，・・・４７−４５や棚表示の表示装置４１−１，・・・４１−４や目次の表示装置を入力端末５３から表示内容を容易に書き換えることができる。
【００４２】
このように、文章の作成に時間がかからず、文章を変更するのに手間がかからないようにすることができる。なお、入力は、キーボード等による入力で説明したが、音声入力装置による入力でも良い。
【００４３】
次に、表示装置の他の利用例として図１０と図１１を参照して本発明の携帯情報端末に係る実施形態を説明する。
【００４４】
図１０は、本実施形態に係る携帯情報端末の分解斜視図である。携帯情報端末８０は、カード状のものであり、プラスチック等からなる基体８１と、表示部８２を備えている。基体８１には、制御ＩＣ８３とアンテナ８４からなる制御部８５が設けられている。表示部８２は、電子ペーパー等から形成されている。また、表示部８２は制御ＩＣ８３と電力供給線８６と信号線８７によって接続されている。この制御部の制御ＩＣ８２とアンテナ８３は、機能的に図１と図２で説明した表示装置１０と同様であるので詳細な説明は省略する。
【００４５】
この携帯情報端末８０は、駅の構内等にあるリーダ・ライタを備えた端末にかざすと、表示部８２に文書が表示される装置として用いることができる。例えば、外部の図示しないリーダ・ライタから書き込み指令と書き込み文書が電磁波によって制御部８５に送られると、制御部８５のアンテナ８４によりその書き込み指令と書き込み文書を受信する。また、リーダ・ライタから送られた電磁波から電力を得て、電力供給線８６により表示部に電力を供給し、その間に、信号線８７から表示部８２に送られてきた書き込み文書を表示する。表示部８２は、自己保持性のあるものであり、表示後、電力が断たれても表示はそのまま保持する。そして、図１１のように文書が表示され、利用者は、その文書から情報を得ることができる。
【００４６】
以上の実施形態で説明された構成、形状、大きさおよび配置関係については本発明が理解・実施できる程度に概略的に示したものにすぎず、また数値および各構成の組成（材質）については例示にすぎない。従って本発明は、説明された実施形態に限定されるものではなく、特許請求の範囲に示される技術的思想の範囲を逸脱しない限り様々な形態に変更することができる。
【産業上の利用可能性】
【００４７】
本発明は、外部から文書データを含む信号を載せた電磁波を送ることにより容易に表示内容を書き換えることができる表示装置、文書ファイル管理装置および携帯情報端末として利用される。
【図面の簡単な説明】
【００４８】
【図１】本発明の実施形態に係る表示装置の構成を説明するための図である。
【図２】本発明の実施形態に係る表示装置の制御部のブロック図である。
【図３】本発明の実施形態に係る表示装置に表示内容を書き込むときの動作を説明する図である。
【図４】表示装置に表示内容を書き込むときの処理フローチャートである。
【図５】表示装置から表示内容を読み出すときの処理フローチャートである。
【図６】本発明の実施形態に係る文書ファイル管理装置の構成を説明するための図である。
【図７】棚の中の文書ファイルに設けられた表示装置と棚表示用の表示装置を示す図である。
【図８】本実施形態における背表紙や目次や棚表示の表示装置の表示内容を書き換えるときの操作を説明するフローチャートである。
【図９】入力端末の画面上に表示される入力画面を示す図である。
【図１０】本実施形態に係る携帯情報端末の分解斜視図である。
【図１１】携帯情報端末の表示部に表示される表示内容の一例を示す図である。
【符号の説明】
【００４９】
１０        表示装置
１１        基体
１２        表示部
１３        制御部
１４        電力供給線
１５        信号線
１６        制御ＩＣ
１７        アンテナ
２１        電力生成部
４０        文書ファイル管理装置
４６        アンテナマルチプレクサ
４８        表示装置制御サーバ
４９        リーダ・ライタ
８０        携帯情報端末
【図１】
2007199296.tif 000003
【図２】
2007199296.tif 000004
【図３】
2007199296.tif 000005
【図４】
2007199296.tif 000006
【図５】
2007199296.tif 000007
【図６】
2007199296.tif 000008
【図７】
2007199296.tif 000009
【図８】
2007199296.tif 000010
【図９】
2007199296.tif 000011
【図１０】
2007199296.tif 000012
【図１１】
2007199296.tif 000013